(57)【要約】【課題】油絵を制作中で油絵の具が乾いていないキャンバスを汚すことなく収納することができる収納ケース。【解決手段】蓋部と本体とがそれぞれの下部側に設けられている連結部を介して開閉可能に連結された収納ケースであって、前記本体の上部側壁側から対向する本体の下部側壁側に向かって前進及び後退可能な第一の上下方向支持部材が配備されており、前記第一の上下方向支持部材と前記本体の下部側壁との間の本体空間部にキャンバスを収納して保持する本体キャンバス保持空間部が形成される収納ケース。【選択図】図１
2013215931.tif 000002
【特許請求の範囲】
【請求項１】
蓋部と本体とがそれぞれの下部側に設けられている連結部を介して開閉可能に連結された収納ケースであって、
前記本体の上部側壁側から対向する本体の下部側壁側に向かって前進及び後退可能な第一の上下方向支持部材が配備されており、
前記第一の上下方向支持部材と前記本体の下部側壁との間の本体空間部にキャンバスを収納して保持する本体キャンバス保持空間部が形成される
ことを特徴とする収納ケース。
【請求項２】
前記本体の下部側壁に本体下部支持部材が取り付けられていて、前記本体空間部は、前記第一の上下方向支持部材と前記本体下部支持部材との間に形成されることを特徴とする請求項１記載の収納ケース。
【請求項３】
前記本体の対向している左右の側壁の中の一方の側壁の側に第一の本体側壁支持部材が、他方の側壁の側に第二の本体側壁支持部材が配備されていて、前記本体空間部は、前記第一の上下方向支持部材と前記本体の下部側壁との間及び、前記第一の本体側壁支持部材と前記第二の本体側壁支持部材との間に形成されることを特徴とする請求項１記載の収納ケース。
【請求項４】
前記本体の下部側壁に本体下部支持部材が取り付けられていると共に、前記本体の対向している左右の側壁の中の一方の側壁の側に第一の本体側壁支持部材が、他方の側壁の側に第二の本体側壁支持部材が配備されていて、前記本体空間部は、前記第一の上下方向支持部材と前記本体下部支持部材との間及び、前記第一の本体側壁支持部材と前記第二の本体側壁支持部材との間に形成されることを特徴とする請求項１記載の収納ケース。
【請求項５】
前記第一の本体側壁支持部材及び、前記第二の本体側壁支持部材の一方又は双方が、それぞれ、対向する前記第二の本体側壁支持部材又は前記第一の本体側壁支持部材に向かって前進又は後退可能になっていることを特徴とする請求項３又は４記載の収納ケース。
【請求項６】
前記蓋部の上部側壁側から対向する蓋部の下部側壁側に向かって前進及び後退可能な第二の上下方向支持部材が配備されており、
前記第二の上下方向支持部材と前記蓋部の下部側壁との間の蓋部空間部にキャンバスを収納して保持する蓋部キャンバス保持空間部が形成される
ことを特徴とする請求項１乃至５のいずれか一項記載の収納ケース。
【請求項７】
前記蓋部の上部側の外壁、又は、前記本体の上部側の外壁に前記収納ケースを持つ際に握られる把持部が取り付けられていることを特徴とする請求項１乃至６のいずれか一項記載の収納ケース。
【発明の詳細な説明】
【技術分野】
【０００１】
この発明は、収納ケースに関し、特に、油絵を制作中のキャンバスを汚すことなく当該キャンバスを収納して持ち運びを行うことに適した収納ケースに関する。
【背景技術】
【０００２】
油絵を制作する際、木枠に麻布を張ったキャンバスが絵画の支持体として多用されている。また、キャンバスのサイズは、人物、風景、海景によって様々な種類のサイズが利用されている。
【０００３】
油絵で使用する油絵の具は、水彩絵の具に比べて乾きにくく、油絵を制作中のキャンバスを持ち運ぶ際に、油絵の具が乾いていないために周囲を汚してしまうことや、当該キャンバスを汚すことがあった。
【先行技術文献】
【特許文献】
【０００４】
【特許文献１】特開２０１０−２８４８０８号公報
【発明の概要】
【発明が解決しようとする課題】
【０００５】
そこで、本発明は、油絵を制作中で油絵の具が乾いていないキャンバスを汚すことなく収納することができる収納ケースで、このような油絵の具が乾いていないキャンバスを汚すことなく収容して持ち運びすることに適した収納ケースを提供することを目的としている。
【課題を解決するための手段】
【０００６】
上記課題を解決するため、以下の発明を提案する。
【０００７】
請求項１の発明は、
蓋部と本体とがそれぞれの下部側に設けられている連結部を介して開閉可能に連結された収納ケースであって、
前記本体の上部側壁側から対向する本体の下部側壁側に向かって前進及び後退可能な第一の上下方向支持部材が配備されており、
前記第一の上下方向支持部材と前記本体の下部側壁との間の本体空間部にキャンバスを収納して保持する本体キャンバス保持空間部が形成される
ことを特徴とする収納ケース
である。
【０００８】
請求項２記載の発明は、
前記本体の下部側壁に本体下部支持部材が取り付けられていて、前記本体空間部は、前記第一の上下方向支持部材と前記本体下部支持部材との間に形成されることを特徴とする請求項１記載の収納ケース
である。
【０００９】
請求項３記載の発明は、
前記本体の対向している左右の側壁の中の一方の側壁の側に第一の本体側壁支持部材が、他方の側壁の側に第二の本体側壁支持部材が配備されていて、前記本体空間部は、前記第一の上下方向支持部材と前記本体の下部側壁との間及び、前記第一の本体側壁支持部材と前記第二の本体側壁支持部材との間に形成されることを特徴とする請求項１記載の収納ケース
である。
【００１０】
請求項４記載の発明は、
前記本体の下部側壁に本体下部支持部材が取り付けられていると共に、前記本体の対向している左右の側壁の中の一方の側壁の側に第一の本体側壁支持部材が、他方の側壁の側に第二の本体側壁支持部材が配備されていて、前記本体空間部は、前記第一の上下方向支持部材と前記本体下部支持部材との間及び、前記第一の本体側壁支持部材と前記第二の本体側壁支持部材との間に形成されることを特徴とする請求項１記載の収納ケース
である。
【００１１】
請求項５記載の発明は、
前記第一の本体側壁支持部材及び、前記第二の本体側壁支持部材の一方又は双方が、それぞれ、対向する前記第二の本体側壁支持部材又は前記第一の本体側壁支持部材に向かって前進又は後退可能になっていることを特徴とする請求項３又は４記載の収納ケース
である。
【００１２】
請求項６記載の発明は、
前記蓋部の上部側壁側から対向する蓋部の下部側壁側に向かって前進及び後退可能な第二の上下方向支持部材が配備されており、
前記第二の上下方向支持部材と前記蓋部の下部側壁との間の蓋部空間部にキャンバスを収納して保持する蓋部キャンバス保持空間部が形成される
ことを特徴とする請求項１乃至５のいずれか一項記載の収納ケース
である。
【００１３】
請求項７記載の発明は、
前記蓋部の上部側の外壁、又は、前記本体の上部側の外壁に前記収納ケースを持つ際に握られる把持部が取り付けられていることを特徴とする請求項１乃至６のいずれか一項記載の収納ケース
である。
【発明の効果】
【００１４】
本発明によれば、油絵を制作中で油絵の具が乾いていないキャンバスを汚すことなく収納することができる収納ケースで、このような油絵の具が乾いていないキャンバスを汚すことなく収容して持ち運びすることに適した収納ケースを提供することができる。
【図面の簡単な説明】
【００１５】
【図１】本発明の好ましい実施形態を表す図であって、（ａ）ケースを開いた状態の平面図、（ｂ）Ａ−Ａ断面図、（ｃ）キャンバスを収容し、ケースを閉じた状態の平面図。
【図２】本発明の他の実施形態を表す図であって、（ａ）ケースを開いた状態の平面図、（ｂ）Ｂ−Ｂ断面図、（ｃ）キャンバスを収容し、ケースを閉じた状態の平面図。
【図３】（ａ）本発明の他の実施形態を表す図であって、ケースを開いた状態の平面図、（ｂ）本発明の他の実施形態を表す図であって、ケースを開いた状態の平面図。
【図４】本発明の更に他の実施形態を表す図であって、（ａ）ケースを開いた状態の平面図、（ｂ）Ｃ−Ｃ断面図、（ｃ）キャンバスを収容し、ケースを閉じた状態の平面図。
【発明を実施するための形態】
【００１６】
以下、添付図面を参照して本発明の実施形態を説明する。
【００１７】
図１〜図４は本発明の好ましい実施形態を説明するものである。図１図示の形態を中心に説明し、図２〜図４の実施形態において図１図示の実施形態と共通している部分には図１において用いた符号と共通する符号を用いてその説明を省略する。
【００１８】
本発明の収納ケース１ａは、本体２と蓋部３とがそれぞれの下部側に設けられている蝶番などの連結部を介して開閉可能に連結された収納ケースである。
【００１９】
図示の実施形態では、本体２、蓋部３ともアクリル樹脂などの合成樹脂製になっており、両者の下部側に形成される連結部も合成樹脂製であって、これにより、図１（ａ）、図１（ｂ）のように開いている状態から、図１（ｃ）図示のように、閉じた状態へと開閉自在になっている。図１（ｃ）における上側に、本体２及び蓋部３の下部側に設けられている連結部が現れており、図１（ｃ）における下側に、収納ケース１ａを持つ際に握られる把持部が現れている。
【００２０】
なお、本体２の上部側及び、蓋部３の上部側には、それぞれ開閉機構が配備されている。図示の実施形態では、本体２の上部側の外壁に掛止具１１、１１が配備され、蓋部３の上部側の外壁に止具１０、１０が配備され、両者が掛合あるいは掛止しあうことにより、図１（ｃ）図示のように閉じられ、また、両者の掛合状態あるいは掛止状態を解除することにより、図１（ａ）、図１（ｂ）のような開いている状態になる。
【００２１】
なお、図示の実施形態では、本体２の上部側の外壁に、収納ケース１ａを持つ際に握られる把持部が取り付けられているが、収納ケース１ａを持つ際に握られる把持部を蓋部３の上部側の外壁に取り付ける形態にすることもできる。
【００２２】
本発明の収納ケース１ａは、本体２の上部側壁２ｄの側から対向する本体２の下部側壁２ｃの側に向かって矢印１２（図１（ｂ））で示す方向に前進し、また、矢印１３（図１（ｂ））で示す方向に後退する第一の上下方向支持部材６が配備されている点に特徴を有する。
【００２３】
第一の上下方向支持部材６と本体２の下部側壁２ｃとの間の本体空間部８にキャンバス９を収納して保持する本体キャンバス保持空間部が形成される。
【００２４】
すなわち、図１（ａ）、（ｂ）図示の状態で、第一の上下方向支持部材６を構成する第一の上下方向支持部材第一支持部６ａ、６ａ（以下、単に「第一支持部６ａ」と表すことがある）を、矢印１２あるいは矢印１３方向に前進又は後退させ、絵をかきかけで、キャンバス上の油絵具が乾いていない状態のキャンバス９を、第一支持部６ａ、６ａと、本体２の下部側壁２ｃとの間の本体空間部８に収容する大きさに調整して収容する。そして、第一支持部６ａ、６ａを矢印１２方向に、更に、前進させ、キャンバス９を第一支持部６ａ、６ａと、本体２の下部側壁２ｃとの間に保持し、キャンバス９を、前述した本体空間部８からなる本体キャンバス保持空間部に保持する。
【００２５】
このようにした後、図１（ｃ）図示のように閉じれば、キャンバス９上に塗られた、まだ乾いていない油絵具が蓋部３の内壁面３ａや、本体２の内壁面２ａに接触することはなく、前記のように保持した状態で、把持部を握り、収納ケース１ａを持ち運びすることができる。
【００２６】
第一の上下方向支持部材６を、本体２の上部側壁２ｄの側から対向する本体２の下部側壁２ｃの側に向かって矢印１２（図１（ｂ））で示す方向に前進させ、また、矢印１３（図１（ｂ））で示す方向に後退させる移動機構は、本体２の上部側壁２ｄに配備させておくことができる。
【００２７】
図１図示の実施形態では、ボルト状の締め付け具７、７を本体２の上部側壁２ｄに取り付けておき、これを時計回り方向に回転させることによって締め付け具７、７の本体２内に伸びている先端を矢印１２方向に前進させ、反時計回り方向に回転させることによって矢印１３方向に後退させている。第一の上下方向支持部材６を矢印１２（図１（ｂ））で示す方向に前進させ、また、矢印１３（図１（ｂ））で示す方向に後退させる移動機構としては、これに限られず、種々の機構を採用することができる。
【００２８】
図４は、第一の上下方向支持部材１８ａを矢印１９（図４（ａ））で示す方向に前進させ、また、矢印２０（図４（ａ））で示す方向に後退させる、図１図示の実施形態とは異なる、移動機構が採用されている本発明の収納ケース１ｅを説明するものである。
【００２９】
本体２の側壁２ｂ、２ｂ´の近傍に、一対の係合受け部材１８ｄ、１８ｄが上部側壁２ｄから下部側壁２ｃに亘って固定されている。
【００３０】
一対の係合受け部材１８ｄ、１８ｄの間には、第一の上下方向支持部材１８ａが架設されており、第一の上下方向支持部材１８ａを一対の係合受け部材１８ｄ、１８ｄ上で矢印１９、２０の方向へスライド可能になっている。
【００３１】
第一の上下方向支持部材１８ａの、本体２の下部側壁２ｃに向く面は、キャンバス９を本体２の上部側壁２ｄ側から支持するキャンバス支持面１８ｃとなっている。
【００３２】
図４の実施形態では、スライド部材１８ａのキャンバス支持面１８ｃ及び本体２の下部側壁２ｃとで囲まれる空間が本体空間部８ａとなり、この本体空間部８ａによって本体キャンバス保持空間部が構成される。
【００３３】
第一の上下方向支持部材１８ａの先端は、図４（ｂ）図示のように、突状の係止突部１８ｂとなっており、係合受け部材１８ｄには、係止突部１８ｂを係止する複数の係止溝１８ｅが形成されている。
【００３４】
この係止突部１８ｂと複数の係止溝１８ｅとが係脱自在に係合することで、第一の上下方向支持部材１８ａを一対の係合受け部材１８ｄ、１８ｄ上で矢印１９、２０の方向へスライドさせるスライド機構１８とすることができる。
【００３５】
そこで、本体空間部８ａにキャンバス９を収容し、スライド機構１８を利用して第一の上下方向支持部材１８ａを矢印１９の方向へスライドすれば、キャンバス９が第一の上下方向支持部材１８ａのキャンバス支持面１８ｃによって矢印１９の方向へ押圧され、キャンバス９を、本体空間部８ａによって形成される本体キャンバス保持空間部に保持することができる。そこで、油絵を制作中で油絵の具が乾いていないキャンバスを汚すことなく収納、保持することができる。
【００３６】
キャンバス９の固定状態を解除するには、第一の上下方向支持部材１８ａをスライド機構１８を利用して矢印２０の方向へスライドさせて、第一の上下方向支持部材１８ａのキャンバス支持面１８ｃのキャンバス９への押圧を緩めればよい。
【００３７】
なお、図１〜図３図示の実施形態において、第一の上下方向支持部材６は、例えば、ボルト状の締め付け具７、７などで構成される移動機構の本体２内に伸びている先端に固定しておく構造にすることができる。
【００３８】
あるいは、第一の上下方向支持部材６の第一支持部６ａ、６ａを、本体２の内壁面２ａに沿って、矢印１２（図１（ｂ））及び矢印１３（図１（ｂ））方向に移動可能（スライド可能）な構造にしておき、前述した移動機構の本体２内に伸びている先端を、第一支持部６ａ、６ａの上部側壁２ｄ側の面に当接させる構造にすることもできる。
【００３９】
例えば、第一の上下方向支持部材６を、図１図示のように、本体２の内壁面２ａに固定されている第一の上下方向支持部材第二支持部６ｂ（以下、単に「第二支持部６ｂ」と表すことがある）と、これに連続している第一の上下方向支持部材第一支持部６ａとからなる、図１（ｂ）図示のような側面視でＬ字状の弾性体（例えば、ゴムスポンジ）などで形成し、第一支持部６ａ、６ａの上部側壁２ｄ側の面に、移動機構の本体２内に伸びている先端を当接させる形態にすることができる。
【００４０】
移動機構の本体２内に伸びている先端が矢印１２方向に前進すれば、弾性体からなる第一の上下方向支持部材６の第一支持部６ａ、６ａが、本体２の下部側壁２ｃに近づく方向へ移動し、矢印１３方向に後退すれば、弾性によって元の状態に復帰する。
【００４１】
前述したように、第一の上下方向支持部材６が矢印１２、１３で示す上下方向に移動可能になっていることから、上下方向（図１（ｃ）の上下方向）の長さが異なっているキャンバス９のサイズに合わせて、第一の上下方向支持部材６と本体２の下部側壁２ｃとの間の間隔を任意に調節し、一つの収納ケース１ａを用いて、上下方向のサイズが異なるキャンバス９を収容、保持することができる。
【００４２】
上述した弾性材で第一の上下方向支持部材６を形成し、前述した構造で、本体２の内壁面２ａに取り付けておけば、弾性材からなる第二支持部６ｂが、絵の具が塗られている側を蓋部３側に向けて、第一支持部６ａ、６ａと、本体２の下部側壁２ｃとの間の本体キャンバス保持空間部に保持されているキャンバス９の裏面側を支持することになるので有利である。
【００４３】
なお、本体２の下部側壁２ｃに本体下部支持部材４が取り付けられていて、前述した本体空間部８は、第一の上下方向支持部材６と本体下部支持部材４との間に形成される構造にすることができる。
【００４４】
この場合、本体下部支持部材４は、本体２の内壁面２ａに取り付けられている本体下部支持部材第二支持部４ｂと、これに連続していて、本体２の下部側壁２ｃの内側に取り付けられている本体下部支持部材第一支持部４ａとからなる、図１（ｂ）図示のような側面視でＬ字状の弾性体（例えば、ゴムスポンジ）などで形成することができる。
【００４５】
このような側面視でＬ字状の弾性体で形成しておくことにより、例えば、前述した第一の上下方向支持部材６が、側面視でＬ字状の弾性体（例えば、ゴムスポンジ）で構成されている場合、両者の弾性構造により、図１（ｃ）の上下方向からキャンバス９を安定的に保持し、また、絵の具が塗られている側を蓋部３側に向けて、第一支持部６ａ、６ａと、本体下部支持部材第一支持部４ａとの間の本体キャンバス保持空間部８に保持されているキャンバス９の裏面側を、弾性材性の第二支持部６ｂと、本体下部支持部材第二支持部４ｂとで支持することになるので安定的な保持により有利である。
【００４６】
なお、上記では、第一の上下方向支持部材６は、中間に把持部（取手）が取り付けられている位置を挟んで、本体２の左右方向に一対配備されていて、第一の上下方向支持部材６を矢印１２（図１（ｂ））で示す方向に前進させ、また、矢印１３（図１（ｂ））で示す方向に後退させる移動機構も、これに対応して一対配備されている構造で説明したが、このような構造に限られるものではない。例えば、一枚の板状体からなる第一の上下方向支持部材を、本体２の上部側壁２ｄに取り付けられている一個の移動機構によって、矢印１２、１３方向へ前進、後退させることもできる。
【００４７】
更に、本体２の対向している左右の側壁２ｂ、２ｂ´の中の一方の側壁２ｂの側に第一の本体側壁支持部材５が、他方の側壁２ｂ´の側に第二の本体側壁支持部材５´が配備されている構造にすることもできる。この場合、前述した本体空間部８は、第一の上下方向支持部材６と本体の下部側壁２ｃとの間及び、第一の本体側壁支持部材５と第二の本体側壁支持部材５´との間に形成されることになる。
【００４８】
また、前述した本体下部支持部材４が配備されている場合には、前述した本体空間部８は、第一の上下方向支持部材６と本体下部支持部材４との間及び、第一の本体側壁支持部材５と第二の本体側壁支持部材５´との間に形成されることになる。
【００４９】
この場合、第一の本体側壁支持部材５及び、第二の本体側壁支持部材５´の一方又は双方が、それぞれ、対向する第二の本体側壁支持部材５´又は第一の本体側壁支持部材５に向かって、矢印１６、１７（図３）で示すように前進又は後退可能になっている構造にすることもできる。
【００５０】
このようにすれば、左右方向（図３（ａ）、（ｂ）の左右方向）の幅が異なっているキャンバス９のサイズに合わせて、第一の本体側壁支持部材５と第二の本体側壁支持部材５´との間の間隔を任意に調節し、一つの収納ケース１ｃを用いて、左右方向のサイズが異なるキャンバスを収容、保持することができる。
【００５１】
図３は、矢印１６、１７で示す左右方向の移動機構に、図１の矢印１２、１３で示した上下方向の移動機構と同様の構造が採用されているものである。なお、ここでは、第一の本体側壁支持部材５及び、第二の本体側壁支持部材５´は、前述した第一の上下方向支持部材６の場合と同じく、いずれも弾性材製としている。
【００５２】
なお、第一の本体側壁支持部材５及び、第二の本体側壁支持部材５´を、それぞれ、本体２の内壁面２ａに取り付けられている本体側壁支持部材第二支持部５ｂ、５ｂ´と、これに連続していて、本体２の側壁２ｂ、２ｂ´の内側に取り付けられている本体側壁支持部材第一支持部５ａ、５ａ´とからなる、側面視でＬ字状の弾性体（例えば、ゴムスポンジ）などで形成することもできる。
【００５３】
第一の本体側壁支持部材５及び、第二の本体側壁支持部材５´を弾性構造にすることによって発揮される作用、効果、特に、側面視でＬ字状の弾性体（例えば、ゴムスポンジ）にすることによって発揮される作用、効果は、前述した第一の上下方向支持部材６、本体下部支持部材４を弾性構造にすることによって発揮される作用・効果と共通している。
【００５４】
また、図示していないが、図１図示の構造と、図３図示の構造とを組み合わせた構造とし、第一の上下方向支持部材６が矢印１２、１３で示す上下方向に移動可能になっていると共に、第一の本体側壁支持部材５及び、第二の本体側壁支持部材５´の一方又は双方が、それぞれ、対向する第二の本体側壁支持部材５´又は第一の本体側壁支持部材５に向かって、矢印１６、１７（図３）で示すように移動可能な構造にして、上下方向（図１（ｃ）の上下方向）の長さ、左右方向（図３（ａ）、（ｂ）の左右方向）の幅が異なっているキャンバスにサイズに合わせて、第一の上下方向支持部材６と本体２の下部側壁２ｃとの間の間隔を任意に調節すると共に、第一の本体側壁支持部材５と第二の本体側壁支持部材５´との間の間隔を調整し、一つの収納ケースを用いて、上下・左右方向のサイズが異なる種々のキャンバスを収容、保持するようにすることもできる。
【００５５】
図２は、本体２側だけでなく、蓋部３側に、図１を用いて説明した構造が採用されているものである。そこで、図１で説明したものと同一の構造部分には同一の符号を使用し、それらの説明は省略する。
【００５６】
図２図示のように、蓋部３内の空間にもキャンバスを収容、保持できるようにすれば、本体２内の空間部に一枚、蓋部３内の空間部にもう一枚、少なくとも２枚のキャンバスを収納ケース１ｂ内に収納、保持して持ち運びすることができる。
【００５７】
なお、蓋部３の側にも、図１、図３で説明した構造を採用することが可能であり、上記の本体２側で説明したように、蓋部３側においても、上下方向（図２（ａ）、（ｃ）の矢印１４、１５で示す上下方向）の長さ、左右方向（図２（ａ）、（ｃ）の左右方向）の幅が異なっているキャンバスにサイズに合わせて所要の間隔調整を行い、一つの収納ケースを用いて、上下・左右方向のサイズが異なる種々のキャンバスを収容、保持するようにすることができる。
【００５８】
以上、添付図面を参照して本発明の好ましい実施形態、実施例を説明したが、本発明はこれらに限られるものではなく、特許請求の範囲の記載から把握される技術的範囲において種々の形態に変更可能である。
【符号の説明】
【００５９】
１ａ、１ｂ、１ｃ、１ｄ、１ｅ  収納ケース
２  本体
２ａ  本体の内壁面
２ｂ、２ｂ´  本体の側壁
２ｃ  本体の下部側壁
２ｄ  本体の上部側壁
３  蓋部
３ａ  蓋部の内壁面
３ｂ、３ｂ´  蓋部の側壁
３ｃ  蓋部の下部側壁
３ｄ  蓋部の上部側壁
４  本体下部支持部材
４ａ  本体下部支持部材第一支持部
４ｂ  本体下部支持部材第二支持部
５  第一の本体側壁支持部材
５´  第二の本体側壁支持部材
５ａ、５ａ´  本体側壁支持部材第一支持部
５ｂ、５ｂ´  本体側壁支持部材第二支持部
６  第一の上下方向支持部材
６ａ  第一の上下方向支持部材第一支持部
６ｂ  第一の上下方向支持部材第二支持部
７、７  ボルト状の締め付け具
８、８ａ  本体空間部
９  キャンバス
１８ａ  第一の上下方向支持部材
【図１】
2013215931.tif 000003
【図２】
2013215931.tif 000004
【図３】
2013215931.tif 000005
【図４】
2013215931.tif 000006
【手続補正書】
【提出日】平成24年5月25日(2012.5.25)
【手続補正１】
【補正対象書類名】特許請求の範囲
【補正対象項目名】請求項１
【補正方法】変更
【補正の内容】
【請求項１】
蓋部と本体とがそれぞれの下部側に設けられている連結部を介して開閉可能に連結された収納ケースであって、
前記本体の上部側壁側から対向する本体の下部側壁側に向かって前進及び後退可能な第一の上下方向支持部材が配備されており、
前記第一の上下方向支持部材と前記本体の下部側壁との間の本体空間部にキャンバスを収納して保持する本体キャンバス保持空間部が形成され、
前記第一の上下方向支持部材と前記本体の下部側壁との間に前記キャンバスを保持する
ことを特徴とする収納ケース。
【手続補正２】
【補正対象書類名】特許請求の範囲
【補正対象項目名】請求項６
【補正方法】変更
【補正の内容】
【請求項６】
前記蓋部の上部側壁側から対向する蓋部の下部側壁側に向かって前進及び後退可能な第二の上下方向支持部材が配備されており、
前記第二の上下方向支持部材と前記蓋部の下部側壁との間の蓋部空間部にキャンバスを収納して保持する蓋部キャンバス保持空間部が形成され、
前記第二の上下方向支持部材と前記蓋部の下部側壁との間に前記キャンバスを保持する
ことを特徴とする請求項１乃至５のいずれか一項記載の収納ケース。
【手続補正３】
【補正対象書類名】明細書
【補正対象項目名】０００７
【補正方法】変更
【補正の内容】
【０００７】
請求項１の発明は、
蓋部と本体とがそれぞれの下部側に設けられている連結部を介して開閉可能に連結された収納ケースであって、
前記本体の上部側壁側から対向する本体の下部側壁側に向かって前進及び後退可能な第一の上下方向支持部材が配備されており、
前記第一の上下方向支持部材と前記本体の下部側壁との間の本体空間部にキャンバスを収納して保持する本体キャンバス保持空間部が形成され、
前記第一の上下方向支持部材と前記本体の下部側壁との間に前記キャンバスを保持する
ことを特徴とする収納ケース
である。
【手続補正４】
【補正対象書類名】明細書
【補正対象項目名】００１２
【補正方法】変更
【補正の内容】
【００１２】
請求項６記載の発明は、
前記蓋部の上部側壁側から対向する蓋部の下部側壁側に向かって前進及び後退可能な第二の上下方向支持部材が配備されており、
前記第二の上下方向支持部材と前記蓋部の下部側壁との間の蓋部空間部にキャンバスを収納して保持する蓋部キャンバス保持空間部が形成され、
前記第二の上下方向支持部材と前記蓋部の下部側壁との間に前記キャンバスを保持する
ことを特徴とする請求項１乃至５のいずれか一項記載の収納ケース
である。
【手続補正書】
【提出日】平成24年7月6日(2012.7.6)
【手続補正１】
【補正対象書類名】特許請求の範囲
【補正対象項目名】請求項１
【補正方法】変更
【補正の内容】
【請求項１】
蓋部と本体とがそれぞれの下部側に設けられている連結部を介して開閉可能に連結された収納ケースであって、
前記本体の上部側壁側から対向する本体の下部側壁側に向かって前進及び後退可能な第一の上下方向支持部材が配備されており、
前記第一の上下方向支持部材と前記本体の下部側壁との間の本体空間部にキャンバスを収納して保持する本体キャンバス保持空間部が形成され、
前記第一の上下方向支持部材を前記キャンバスの一方の側壁面に当接させると共に、前記本体の下部側壁を前記キャンバスの前記一方の側壁面に対向している他方の側壁面に当接させることにより、前記第一の上下方向支持部材と前記本体の下部側壁との間に前記キャンバスを保持する
ことを特徴とする収納ケース。
【手続補正２】
【補正対象書類名】特許請求の範囲
【補正対象項目名】請求項６
【補正方法】変更
【補正の内容】
【請求項６】
前記蓋部の上部側壁側から対向する蓋部の下部側壁側に向かって前進及び後退可能な第二の上下方向支持部材が配備されており、
前記第二の上下方向支持部材と前記蓋部の下部側壁との間の蓋部空間部にキャンバスを収納して保持する蓋部キャンバス保持空間部が形成され、
前記第二の上下方向支持部材を前記キャンバスの一方の側壁面に当接させると共に、前記蓋部の下部側壁を前記キャンバスの前記一方の側壁面に対向している他方の側壁面に当接させることにより、前記第二の上下方向支持部材と前記蓋部の下部側壁との間に前記キャンバスを保持する
ことを特徴とする請求項１乃至５のいずれか一項記載の収納ケース。
【手続補正３】
【補正対象書類名】明細書
【補正対象項目名】０００７
【補正方法】変更
【補正の内容】
【０００７】
請求項１の発明は、
蓋部と本体とがそれぞれの下部側に設けられている連結部を介して開閉可能に連結された収納ケースであって、
前記本体の上部側壁側から対向する本体の下部側壁側に向かって前進及び後退可能な第一の上下方向支持部材が配備されており、
前記第一の上下方向支持部材と前記本体の下部側壁との間の本体空間部にキャンバスを収納して保持する本体キャンバス保持空間部が形成され、
前記第一の上下方向支持部材を前記キャンバスの一方の側壁面に当接させると共に、前記本体の下部側壁を前記キャンバスの前記一方の側壁面に対向している他方の側壁面に当接させることにより、前記第一の上下方向支持部材と前記本体の下部側壁との間に前記キャンバスを保持する
ことを特徴とする収納ケース
である。
【手続補正４】
【補正対象書類名】明細書
【補正対象項目名】００１２
【補正方法】変更
【補正の内容】
【００１２】
請求項６記載の発明は、
前記蓋部の上部側壁側から対向する蓋部の下部側壁側に向かって前進及び後退可能な第二の上下方向支持部材が配備されており、
前記第二の上下方向支持部材と前記蓋部の下部側壁との間の蓋部空間部にキャンバスを収納して保持する蓋部キャンバス保持空間部が形成され、
前記第二の上下方向支持部材を前記キャンバスの一方の側壁面に当接させると共に、前記蓋部の下部側壁を前記キャンバスの前記一方の側壁面に対向している他方の側壁面に当接させることにより、前記第二の上下方向支持部材と前記蓋部の下部側壁との間に前記キャンバスを保持する
ことを特徴とする請求項１乃至５のいずれか一項記載の収納ケース
である。